(57)【特許請求の範囲】
【請求項１】
基板と、基板の略下半分がＵ字状に切り起こされて立設した水平片と、該水平片の先端から斜め下方に折曲した下向き係止片と、該水平片の先端から斜め上方に折曲した上向き係止片と、を備える留め付け金具であって、前記下向き係止片の先端は上向きに折曲した平板部とされており、かつ、前記上向き係止片は前記下向き係止片の一部を切り欠いて上方に折曲して形成されており、
前記基板のうち前記Ｕ字状に切り起こされた部分の両側縁には、縦方向の凹状溝が形成されていることを特徴とする留め付け金具。
【請求項２】
前記平板部は、基板に平行な平坦面であることを特徴とする請求項１記載の留め付け金具。
【請求項３】
前記平板部は、その縦断面形状が基板と反対側に膨出した形状であることを特徴とする請求項１記載の留め付け金具。
【請求項４】
基板は、上端縁及び下端縁に裏面側に延出した立ち上がり片を備え、かつ、裏面側に凹陥した横長の凹状窪みが一体成形されており、該横長の凹状窪みの底面には複数の釘打ち孔が形成されていることを特徴とする請求項１ないし３いずれか記載の留め付け金具。
【発明の詳細な説明】
【０００１】
【発明の属する技術分野】
本発明は外壁板などの板材相互を接合するために用いられる留め付け金具に関する。
【０００２】
【従来の技術】
最近、住宅などの外壁面は施主の好みに応じて高意匠性のものが求められるようになり、表面柄模様を付与した化粧外壁板が多数使用されている。従来、化粧外壁板は複数枚の板材を縦横に配列してビスや釘などで下地材に固定して外壁を施工していたが、化粧外壁板をビスや釘などで固定すると、該化粧外壁板の化粧表面に傷がついて意匠性が損なわれやすい。そこで、図４に示すように、基板３１と、基板３１に立設した水平片３２と、該水平片３２の先端から斜め上方に折曲した上向き係止片３３Ａと、該水平片３２の先端から斜め下方に折曲した下向き係止片３３Ｂと、を備える留め付け金具３０が提案されている（例えば、特開平９−２０３１８４号公報参照）。
【０００３】
この留め付け金具３０は、図５に示すように、下地材６１に基材３１のビス穴３４などを介してビス６２により止着される。接合される建築板である外壁板４０Ａ及び４０Ｂの４周は合じゃくり接合される実部とされ、上辺と一方の側辺にはいわゆる下実が形成され、下辺と他方の側辺には上実が形成される。図５において、接合される上方の外壁板４０Ａの下辺部は上実とされ、下方の外壁板４０Ｂの上辺部は下実とされる。そして、上実部は、表面側である上実柄形成部４１と、裏面側である上実取付部４２と、上実柄形成部４１と上実取付部４２との接合部である凹溝部分４３とで形成され、下実部は裏面側に前記上実取付部４２に対向するように形成された下実取付部４４を備えている。
【０００４】
留め付けに際し、下方の外壁板４０Ｂの下実取付部４４の先端部分を該留め付け金具３０の下側の嵌合部５０Ｂ（基材３１と水平片３２と下向き係止片３３Ｂとで形成される）に嵌合することによって下方の外壁板４０Ｂを下地材６１に固定し、次いで、上方の外壁板４０Ａの上実取付部４２を該留め付け金具３０の上側の嵌合部５０Ａ（基材３１と水平片３２と上向き係止片３３Ａとで形成される）に嵌合することによって、上方の外壁板４０Ａを下地材６１に固定する。このようにして、上下の外壁板４０Ａ、４０Ｂが接合されるので、外壁板の表面を損傷するおそれはなく、また、留め付け金具３０も外側からは見えず、外観的に非常に好ましいものとなる。
【０００５】
【発明が解決しようとする課題】
図６は、上辺部と右側辺部に下実を、下辺部と左側辺部に上実を形成した外壁板４０を表面側（模様を施した側）から見たものであり、上辺の裏面側に水平方向の下実取付部４４Ａが、右側辺の裏面側には上下方向の下実取付部４４Ｂが形成されている。また、該下実取付部４４Ａ、４４Ｂの表面側には、内側コーナー部から所定距離をおいて、コーキング剤４５Ａ、４５Ｂが打設されている（上下方向の下実取付部４４Ｂには打設されない場合もある）。外壁板４０の下辺部と左辺部における上実を構成する水平方向の上実柄形成部４１Ａと上下方向の上実柄形成部４１Ｂの裏面側にも、内側コーナー部から所定距離をおいて、やはり、コーキング剤が打設される場合もある。
【０００６】
図７は、図６に示す外壁板４０を上下方向に接合した状態を説明する部分斜視図であり、上方の外壁板４０Ａの下辺側の上実と下方の外壁板４０Ｂの下実とが組み合わされて合じゃくり接合されるが、その際に、接合部に水平方向の隙間Ｓ１が形成される。また、上部外壁板４０Ａ及び下部外壁板４０Ｂのそれぞれには、横方向（左右方向）にさらに外壁板が接続されるが、そのときに、その外壁板の左辺側の垂直方向の上実柄形成部４１Ａと外壁板４０Ａ（及び外壁板４０Ｂ）の右辺側の下実取付部４４Ｂとが組み合わされ、その接合部には垂直方向の隙間Ｓ２が形成される。そして、図から理解されるように、水平方向の隙間Ｓ１と垂直方向の隙間Ｓ２とは連続した隙間となる。
【０００７】
そのような隙間Ｓ１と隙間Ｓ２には雨水が侵入しやすい。しかし、上方の外壁板４０Ａの下辺側の上実柄形成部４１Ａの裏面に対して、下部外壁板４０Ｂの上辺側の下実取付部４４Ａの表面側に打ち込まれたコーキング剤４５Ａが衝接してシール部が形成されるので、水平方向の隙間Ｓ１に入り込んだ雨水が上下方向に迂回して外壁板４０の裏面にまで回り込むのは回避される。同様に、垂直方向の隙間Ｓ２に入り込んだ雨水も横方向に迂回して外壁板４０の裏面に回り込むのは回避される。
【０００８】
一方、隙間Ｓ１に入り込んだ雨水は水平方向に移動していき、前記縦方向の隙間Ｓ２部分に至り、該隙間Ｓ２を下方に流下する。ところで、図５に示すように、外壁板４０の接合部には留め付け金具３０配置されるが、上方の建築板４０Ａの上実取付部４２の傾斜面には留め付け金具３０の上向き係止片３３Ａの内面がほぼ密着しており、縦方向の隙間Ｓ２を流下してくる雨水が前記上側の嵌合部５０Ａの内部に入り込むことはなく（あるとしても極微量である）、上向き係止片３３Ａの上辺を乗り越えてさらに下方に流下し、上向き係止片３３Ａの表面側と下向き係止片３３Ｂの表面側と上部建築板４０Ａの上実柄形成部４１の裏面側とで形成される断面ほぼ三角形をなす空間Ｓａ内に入り込む。
【０００９】
前記のように、上方の外壁板４０Ａの下辺側の上実柄形成部４１Ａの裏面と下部外壁板４０Ｂの上辺側の下実取付部４４Ａの表面とはコーキング剤４５Ａによりシール部が形成されており、そのために、前記のようにして断面ほぼ三角形をなす空間Ｓａ内に入り込んだ雨水はそのまま下流に向けて流下することなく、空間Ｓａ内に一時的に滞留した状態となる。滞留した雨水は空間Ｓａ内を左右方向に移動していき、係止片３３Ａ、３３Ｂの側縁から漏出して、下方の建築板４０Ｂの上辺側の下実取付部４４の表面側に打設された水平方向のコーキング剤４５Ａよりも上部の空間に流出する。もし、上側の嵌合部５０Ａに雨水が侵入した場合には、その雨水も、同様に、係止片３３Ａ、３３Ｂあるいは水平片３２の側縁から漏出して前記空間に流出する。該空間は外壁板４０の裏面側に連通した空間とされており、そこに侵入した雨水は、建築板４０の裏面に回り込んで、建築板を損傷する。
本発明の目的は、従来の留め付け金具において生じる恐れのある上記のような建築板の裏面への雨水の回り込みを積極的に回避することのできる留め付け金具をよりコンパクトな形状のものとして提供することにある。
【００１０】
【課題を解決するための手段】
上記の課題を解決するための本発明による留め付け金具は、基板と、基板に立設した水平片と、該水平片の先端から斜め下方に折曲した下向き係止片と、該水平片の先端から斜め上方に折曲した上向き係止片と、を備える留め付け金具であって、前記下向き係止片の先端は上向きに折曲した平板部とされており、かつ、前記上向き係止片は前記下向き係止片の一部を切り欠いて上方に折曲して形成されていることを特徴とする。
【００１１】
上記の構成である本発明による留め付け金具では、前記縦方向の隙間Ｓ２を流下する雨水は、前記平板部の上端縁を乗り越えた後、その表面に沿って流下する。該平板部は上部建築板の上実柄形成部の裏面側に接した状態とされており、流下する雨水は横方向に広がることなく、左右の建築板同志の縦方向の接合部に形成される隙間から積極的に表面側に向けて排出される。そのために、水平方向及び垂直方向の隙間から侵入した雨水が建築板の裏側に回り込むことは確実に回避される。
前記平板部は、基板に平行な平坦面であってもよく、その縦断面形状が基板と反対側に膨出した形状であってもよい。後者の場合には、上実柄形成部の裏面側への平板部の接触を一層確実なものとすることができ、雨水の裏面への回り込みはさらに確実に回避される。
【００１２】
また、前記平板部は下向き係止片の先端を上向きに折曲して形成されるので、上向き係止片の先端を下向きに折曲して平板部を形成する場合と比較して、平板部の上端縁側に湾曲部（Ｒ部）が生じることがなく、その全面を確実に上部建築板の上実柄形成部の裏面側に密着させることができる。それにより、縦方向の隙間Ｓ２を流下する雨水を該平板部の上端縁を乗り越えて確実に流下するので、雨水の裏面への回り込みは確実に回避される。さらに、前記上向き係止片は前記下向き係止片の一部を切り欠き、それを上方に折曲して形成されるので、大きな強度低下を招くこと基板の横幅を狭くすることができ、全体のコンパクト化が図られる。
【００１３】
好ましい態様において、基板は、上端縁及び下端縁に裏面側に延出した立ち上がり片を備え、かつ、裏面側に凹陥した横長の凹状窪みが一体成形され、該横長の凹状窪みの底面には複数の釘打ち孔が形成されることを特徴とする。これにより、留め付けた建築板と躯体側の支持体との間に空気流通空間を形成することが容易となり、結露などの発生を容易に阻止することができると共に、該立ち上がり片は裏面側に凹陥した横長の凹状窪みと共に、留め付け金具の機械的強度を増強する機能を奏し、曲げや捻れに対する耐性を向上させるので、一層コンパクトでありながら所要の強度を持つ留め付け金具を得ることができる。
【００１４】
【発明の実施の形態】
以下、図面を参照して、本発明による留め付け金具の好ましい実施の形態を説明する。
図１は留め付け金具の一実施の形態を示す斜視図であり、この留め付け金具１０は鉄又はステンレススチールのような金属材料で作られており、方形状基板１１の下端縁は裏面側に折曲した立ち上がり片１とされ、上端縁は裏面側に斜めに傾斜した立ち上がり片２及びその先端の水平片３とされている。斜めに傾斜した立ち上がり片２には釘打ち孔４が設けられ、建物の下地材６１への釘止めに利用される。
【００１５】
基板１１のほぼ下半分はＵ字状に切り起こされ、該切り起こし片は、最初に前方に９０度折曲されて水平片１２とされ、次ぎに斜め下方に折曲されて下向き係止片１３Ｂとされ、次ぎに、下向き係止片１３Ｂの先端から上向きに折曲されて平板部１４とされている。前記水平片１２及び下向き係止片１３Ｂは、図４に示した従来の留め付け金具３０における水平片３２及び下向き係止片３３Ｂと同じ機能を果たす。
【００１６】
前記水平片１２の中央部分は、基板１１との折り曲げ部を基部としたコ字状の切り欠き片とされており、該切り欠き片は斜め上方に折曲されて上向き係止片１３Ａを形成する。この上向き係止片１３Ａは、図４に示した従来の留め付け金具３０における上向き係止片３３Ａと同じ機能を果たす。
基板１１における前記切り起こし部の上方には、裏面側に凹陥した横長の凹状窪み７が一体成形されており、該横長の凹状窪み７の底面には複数（図では３個）の釘打ち孔８が形成されている。凹状窪み７の深さは、前記立ち上がり片１の先端と前記傾斜した立ち上がり片２の先端水平片３を結ぶ面と一致する深さとされる。さらに、基板１１の両側縁には、基板１１の強度向上を目的として、縦方向に凹状溝９が形成されている。
【００１７】
図２、図３は前記留め付け金具１０を用いて、図６に示したような外壁板４０を留め付けた状態を説明する図であり、図５、図７に基づき説明したと同様にして外壁板４０Ａ、４０Ｂが留め付けられる。また、留め付け状態での外壁板４０Ａ、４０Ｂ同志の関係は図５、図７に基づき説明したと同様である。従って、ここでは同じ部材には同じ符号を付すにとどめ、詳細な説明は省略する。
【００１８】
図２に示されるように、この留め付け金具１０では、下向き係止片１３の先端は上向きに折曲されて平板部１４とされており、外壁板４０を留め付けたときに、該平板部１４は、上方の外壁板４０Ａの上実柄形成部４１Ａの裏面に当接した状態となる。そのために、図５で説明したような断面ほぼ三角形をなす空間Ｓａは形成されないこととなり、左右の外壁板の接合部に存在する垂直方向の隙間Ｓ２を流下してくる雨水は、前記平板部１４を流下しながら、表面側に排出される。そのために、従来の留め付け金具で起こりがちであった係止片近辺での雨水の滞留がなくなり、雨水が外壁板の裏面に回り込むのを確実に回避できる。
【００１９】
基板１１の上端縁及び下端縁には裏面側に延出した立ち上がり片１、２を備えており、留め付けた建築板４０と下地材６１側との間に空気流通空間Ｓｃ（図２参照）が形成される。それにより、外壁板４０の裏面に結露などが発生するのも容易に阻止できる。また、基板１１は裏面側に凹陥した横長の凹状窪み７を有しており、該凹状窪み７は立ち上がり片１、２と共に、留め付け金具１０の機械的強度を向上させる。それにより、全体として小形でありながら所要の強度を持つ留め付け金具１０が得られる。
【００２０】
また、図２に示すように、建物の下地材６１への固定は、前記横長の凹状窪み７に形成した釘打ち孔８及び斜めに傾斜した立ち上がり片２に形成した釘打ち孔４を利用して行うことができるので、従来のように、主として水平片３の部分のみで釘止めする方法に比べ、大幅な強度アップでもって留め付け金具を胴縁などに固定することができる。その結果、外壁板の保持強度が大幅に向上する。また、凹状窪み７は横長であり、そこに複数個（図では、３個）の孔８を形成することができるので、留め付け金具１０の下地材６１への留め付けの自由度も増大する。
【００２１】
特に、本発明による留め付け金具では、下向き係止片１３Ｂの先端を上向きに折曲して平板部１４を形成し、かつ、上向き係止片１３Ａは前記下向き係止片１３Ｂの一部を切り欠いて上方に折曲することにより形成しているので、図示のように、平板部１４の上端縁側に湾曲部（Ｒ部）が生じることがなく、その全面を確実に上方の外壁板４０Ａの上実柄形成部４１Ａの裏面に密着させることができると共に、大きな強度低下を招くこと基板１１の横幅を狭くすることができる。そのために、縦方向の隙間Ｓ２を流下する雨水は平板部１４の上端縁を乗り越えて確実に流下し、雨水の裏面への回り込みが確実に回避されると共に、留め付け金具全体のコンパクト化が可能となる。
【００２２】
なお、本発明による留め付け金具において、留め付け金具の下地材への取り付けのために釘打ち孔（例えば、図示のものでは、斜めに傾斜した立ち上がり片２に設けられる孔４、及び、凹状窪み７に設けられる孔８）の数や形成位置は任意であり、留め付け金具に求められる留め付け強度に応じて適宜定めればよい。また、どの釘打ち孔を用いて釘打ちするかも任意である。
【００２３】
【発明の効果】
本発明による留め付け金具では、左右の外壁板の接合部の存在する垂直方向の隙間を流下してくる雨水を、留め付け金具部分で確実に表面側に流出させることができる。そのために、従来の留め付け金具で起こりがちであった留め付け金具の係止片近辺での雨水の滞留がなくなり、雨水が外壁板の裏面に回り込むのは回避される。
【００２４】
また、下向き係止片先端を上向きに折曲して平板部を形成し、かつ、上向き係止片は下向き係止片の一部を切り欠いて上方に折曲することにより形成しているので、雨水が外壁板の裏面に回り込むのを一層確実に回避できると共に、全体をコンパクト化できる利点がある。
さらに、立ち上がり片や横長の凹状窪みを設けたことにより、捻れや圧縮に対する耐性が大きくなり機械的強度が向上するので、留め付け金具全体を一層コンパクトなものとして設計することが可能となる。
【図面の簡単な説明】
【図１】本発明による留め付け金具の一実施の形態を示す斜視図。
【図２】図１に示す留め付け金具の使用態様を説明する断面による側面図。
【図３】図１に示す留め付け金具の使用態様を説明する斜視図。
【図４】従来の留め付け金具を説明する斜視図。
【図５】図４に示す留め付け金具の使用態様を説明する断面による側面図。
【図６】外壁板の一例を示す斜視図。
【図７】図６に示す外壁板の組み付け状態を説明する図。
【符号の説明】
１０…留め付け金具、１１…基板、１２…基板に立設した水平片、７…横長の凹状窪み、１３Ａ…水平片の一部を切り欠いて形成した上向き係止片、１３Ｂ…水平片の先端から斜め下方に折曲した下向き係止片、１４…下向き係止片の先端に形成した平板部
【図１】
0003921003.tif 000002
【図２】
0003921003.tif 000003
【図３】
0003921003.tif 000004
【図４】
0003921003.tif 000005
【図５】
0003921003.tif 000006
【図６】
0003921003.tif 000007
【図７】
0003921003.tif 000008